(57)【要約】【課題】  イジェクトボタンを引っ張ってもイジェクト機構が可動することが無く、またそれに同期して可動する他の機構も可動しないために、誤動作の発生を防ぐことができ、次のカードの挿入が可能となり、さらにまた、イジェクトレバーがガタツキを防止するように保持されるために、フリーでイジェクトレバーが動くことの無いように好適に利用することができる。【解決手段】  一端にカード挿入口を有するコネクタ本体内に設けられた、カードと係合して作動されるイジェクタ部材を有するイジェクト機構と、挿入されたカードとの係合によって作動される前記イジェクタ部材と連動して作用する連動機構とを有することを特徴とする。【選択図】  図１
2005322498.tif 000002
【特許請求の範囲】
【請求項１】
一端にカード挿入口を有するコネクタ本体内に設けられた、カードと係合して作動されるイジェクタ部材を有するイジェクト機構と、挿入されたカードとの係合によって作動される前記イジェクタ部材と連動して作用する連動機構とを有することを特徴とするカードコネクタ。
【請求項２】
前記連動機構は、ボタン付のイジェクトレバーとカムレバーとロック機構とを有し、該イジェクトレバーによって前記カムレバーを介して前記ロック機構が作動されることを特徴とする請求項１記載のカードコネクタ。
【請求項３】
前記ロック機構は、上下動可能なフレーム部材に形成されたロック部材を有し、該ロック部材の先端部が折曲されてカードの切欠きにロック係合するカードロック部を有することを特徴とする請求項２記載のカードコネクタ。
【請求項４】
前記イジェクトレバーは、前記コネクタ本体の一方の側部に沿って滑動可能に設けられ、前記カムレバーは、前記コネクタ本体に中程で枢支され、一端が前記イジェクトレバーの切欠き部に係止され、他端が前記イジェクタ部材に係止されていて前記イジェクトレバーの押圧作動によって枢動されるように形成されていることを特徴とする請求項２記載のカードコネクタ。
【請求項５】
一端にカード挿入口を有するコネクタ本体内に設けられた、カードと係合して作動されるイジェクタ部材を有するイジェクト機構と、挿入されたカードと接触してカードを冷却するように作用するヒートシンク機構とを連動することを特徴とするカードコネクタ。
【請求項６】
前記ヒートシンク機構は、上下動可能なフレーム部材上に間隔を置いて直立するように配設された複数個の板状の冷却フィンを有することを特徴とする請求項５記載のカードコネクタ。
【請求項７】
前記フレーム部材を上下動するために、傾斜したカム溝と、該カム溝に係合する回動軸とを有する昇降機構が設けられることを特徴とする請求項６記載のカードコネクタ。
【請求項８】
前記フレーム部材は、平らな板状をなし、両側部が下方にほぼ直角に折曲されており、前記昇降機構の回動軸が設けられていることを特徴とする請求項６記載のカードコネクタ。
【請求項９】
前記イジェクト機構のイジェクタ部材は、前記コネクタ本体の後方部において横方向に細長い主要部に、一対の下方に延出する突部を有しており、前記カードの先端部が当接してイジェクタ部材を押圧するように係合されるカード受け部が形成されていることを特徴とする請求項４記載のカードコネクタ。
【請求項１０】
前記イジェクトレバーの切欠き部に隣接して突起部が設けられ、前記突起部は傾斜面を有していることを特徴とする請求項４記載のカードコネクタ。
【発明の詳細な説明】
【技術分野】
【０００１】
本発明は、イジェクト機構との連動機構を用いるカードコネクタに関するものである。
【背景技術】
【０００２】
近年、携帯電話機、電話機、ＰＤＡ（personal  digital  assistance）、ゲーム機、ノートパソコン、携帯型オーディオ、テレビ、ビデオ、デジタルカメラやカラオケ、情報端末機器、電子楽器等の電子機器においては、各種のメモリカードを挿入するカードコネクタが広く求められている。特に、カードコネクタとしてコネクタ全体の形状を薄くして小型化を図り、カードの挿入と抜き出しに必要な十分な強度を有し、挿入されたカードを容易に排出することができるカードコネクタが求められており、知られている（例えば、特許文献１参照）。
【０００３】
【特許文献１】特開２００１−３５５９３号公報
【発明の開示】
【発明が解決しようとする課題】
【０００４】
しかしながら、このような従来のカードコネクタにおいて、例えば、挿入されるカードの放熱を行うヒートシンクや、挿入されるカードを所定の位置に保持するロック機構等の機構をカードコネクタに設けたとき、各機構は所定の位置に固定配置されるため、挿入されるカードに力が加わり、挿入されたカードに傷が付く等の恐れがある。
【０００５】
従って、本発明の目的は、カードコネクタに設けられたイジェクト機構と、カードコネクタに設けられた機構（例えばヒートシンク機構、ロック機構）が連動して動作するため、挿入されるカードに不要な傷をつけることなく使用できるカードコネクタを提供することにある。
【課題を解決するための手段】
【０００６】
上述の目的を達成するために、本発明のカードコネクタは、一端にカード挿入口を有する偏平なハウジング形状に形成されたコネクタ本体内に設けられた、カードと係合して作動されるイジェクタ部材を有するイジェクト機構と、挿入されたカードとの係合によって作動される前記イジェクタ部材と連動して作用する連動機構とを有することを特徴とする。
【０００７】
さらにまた、本発明のカードコネクタは、一端にカード挿入口を有する偏平なハウジング形状に形成されたコネクタ本体内に設けられた、カードと係合して作動されるイジェクタ部材を有するイジェクト機構と、挿入されたカードと接触してカードを冷却するように作用するヒートシンク機構とを連動することを特徴とする。
【発明の効果】
【０００８】
本発明のカードコネクタは、カードコネクタに設けられたイジェクト機構と、カードコネクタに設けられた機構（例えばヒートシンク機構、ロック機構）が連動して動作するため、挿入されるカードに不要な傷をつけることなく使用することができる。
【発明を実施するための最良の形態】
【０００９】
本発明のカードコネクタは、一端にカード挿入口を有する偏平なハウジング形状に形成されたコネクタ本体内に設けられた、カードと係合して作動されるイジェクタ部材を有するイジェクト機構と、挿入されたカードとの係合によって作動される前記イジェクタ部材と連動して作用する連動機構とを有する。
【００１０】
本発明のその他の目的や特徴および利点は、添付図面に示される本発明の実施形態についての以下の詳細な説明から明らかである。
【実施例１】
【００１１】
図１乃至図１２は、本発明のカードコネクタの実施例１における構成を示す図で、図１は、本発明の実施例１におけるカードコネクタをカード挿入口側から見た全体の斜視図、図２は、図１の本発明のカードコネクタの平面図で、図３は、図１の本発明のカードコネクタの側面図、図４は、図１の本発明のカードコネクタをカード挿入口側から見た端面図で、図５は、図１の本発明のカードコネクタをカード挿入口と反対側から見た端面図、図６は、図１の本発明のカードコネクタの底面図で、図７は、図１の本発明のカードコネクタを、天板を取外して示す斜視図であって、ガタツキ防止用の引張防止形状部分を拡大して示す図、図８は、図１の本発明のカードコネクタを、天板を取外して示す平面図で、図９は、図８のカードコネクタの側面図で、図１０は、図７の本発明のカードコネクタを、ヒートシンク機構を取外して示す斜視図、図１１は、イジェクタ部材の上方からの斜視図で、図１２は、イジェクタ部材の下方からの斜視図である。
【００１２】
なお、本発明のカードコネクタは、ＳＤカードやＭＳデュオカード（いずれも登録商品名）等の各種メモリカードを使用することができるものである。本発明において使用されるこれら各種のメモリカードを、以下に、単に、「カード」と言うものとする。
【００１３】
図１乃至図１２に示されるように、本発明におけるカードコネクタ１は、コネクタ本体２と、イジェクト機構３と、ヒートシンク機構４と、ヒートシンク機構４を上下動する昇降機構５と、イジェクト機構３と連動してヒートシンク機構４を作動するように連動機構として作用する操作機構６とから主に構成されており、天板８が取付けられている。
【００１４】
このような構成の本発明のカードコネクタ１において、コネクタ本体２は、偏平な薄い箱形のケーシングとしてのコネクタハウジングを形成するものである。このようなコネクタハウジングを形成するコネクタ本体２は、所要の回路基板の上に取付けられて使用されるもので、両端が開口していて、一方の開口した端部に、カードを挿入するためのカード挿入口７が設けられている。また、コネクタ本体２の内部には、カードが挿入されて装着されるカード装着部１０が形成されている。
【００１５】
さらに、本発明のカードコネクタ１におけるコネクタ本体２は、金属薄板をプレス加工して作られ、上面部１１と、左右の側壁部１２、１３とを有している。さらにまた、コネクタ本体２は、上面部１１の両側が折り曲げられて側壁部１２、１３として形成され、上面部１１にヒートシンク機構４のための開口部１４が設けられていて枠形に作られている。さらに、コネクタ本体２の開口部１４の両側の上面部１１には、前後方向に並んで配置されたに片持ばね状のばね部材１１Ａ、１１Ｂ（図１、図３、図７、図１０）が上方に持ち上げられるように形成されており、ヒートシンク機構４のフレーム部材３２を弾性支持するようになっている。さらにまた、コネクタ本体２は、両側の側壁部１２、１３の内側に、例えば絶縁性の合成樹脂材料で作られていて溝部１８、１９を有する断面ほぼコの字形の溝形部材１５、１６が設けられている。コネクタ本体２の上面における開口部１４は、上面部１１のほぼ全面に亘って形成された開口が好適で、かつ嵌合されるヒートシンク機構４のヒートシンク部材３１の大きさと形状とに対応するように、大体長方形または正方形に形成されるのが好適である。また、コネクタ本体２の両側壁部１２、１３の前方部分には、内側に僅かに入り込んで狭くなった段付部１２Ａ、１３Ａが形成されており、内方に湾曲変形された片持ちばね状のばね部材としてのカード押え２０Ａ、２０Ｂが形成されている。
【００１６】
さらに、コネクタ本体２の両側の側壁部１２、１３の内側に取付けられる溝形部材１５、１６は、溝部１８、１９が内側を向くように取付けられており、カードの挿入、抜去のための案内路として作用することができるように設けられている。また、コネクタ本体２の両側の側壁部１２、１３には、本発明のカードコネクタ１を回路基板に取付けて固着するための取付け用の耳部１７が設けられている。
【００１７】
このような本発明のカードコネクタ１は、例えば情報端末機器等に装着して用いられるように構成されており、例えば所要の回路基板の上に載置されてコネクタ本体２の取付け用耳部１７がねじのような固着部材によって取付けられて固着される。
【００１８】
本発明のカードコネクタ１において、コネクタ本体２は、内部に形成されたカード装着部１０に、複数個のコンタクトが配列されて成るコンタクト機構（図示しない）が別体として装着できるようになっている。
【００１９】
このような本発明のカードコネクタ１のコネクタ本体２内には、挿入されたカードを排出するためのイジェクト機構３が設けられている。本発明のカードコネクタ１のイジェクト機構３は、コネクタ本体２の内部後方に滑動可能に配置されたイジェクタ部材２１を有している。このイジェクタ部材２１は、金属薄板から作られ、コネクタ本体２内の後方に、コネクタ本体２の上面部１１の下側に隣接してカード挿入口７に対して前後方向に滑動可能に配設されている。
【００２０】
このようなイジェクタ部材２１が図１１および図１２に明示されている。図示されるように、イジェクタ部材２１は、コネクタ本体２の後部内側に、カード挿入方向とほぼ直角な方向に細長い形状をなした主要部２２と、この主要部２２の両端部分からカード挿入口７の方に向かって延びる一対の脚部２３とを有する平面形状がほぼコの字形をなしている。脚部２３は、コネクタ本体２の上面部１１の下側において開口部１４の側辺部分に沿って側壁部１２、１３の上に位置するように配置されている。また、脚部２３は、外側に下方にほぼ直角に折り曲げられた側辺部２４を有しており、後述する昇降機構５の回動軸４４の先端部が係合する逆Ｌ字形形状になったカム溝２５が前後方向に間隔を置いて２つずつ設けられている。
【００２１】
さらに、イジェクタ部材２１は、主要部２２に、カード挿入方向とほぼ直角な方向に間隔を置いて一対の突部２６がカード受け部として下方に突出するように設けられている。従って、カードの挿入によって、カードの先端部がこれら突部２６に当って押すため、イジェクタ部材２１を後方に押圧されて滑動されるようになっている。
【００２２】
また、イジェクタ部材２１の主要部２２のほぼ中央には、上方に起立するように突出部２７が設けられている。この突出部２７は、コネクタ本体２の後端部２Ｄのほぼ中央に設けられた長方形状の孔部２９から上方に突出するように起立されている。また、突出部２７は、先端がほぼ平らに折り曲げられていて、カムレバー５２の膨出部５９と係合されている。これら突部２６と突出部２７は、イジェクタ部材２１の主要部２２に切り込みを設けて爪状に起立させて、折り曲げる等することによって形成することができる。
【００２３】
使用時にカードの発生する熱を放散するためのヒートシンク機構４は、コネクタ本体２の上面部１１に形成された開口部１４に嵌め込まれるように上下動可能に設けられている。このようなヒートシンク機構４は、ヒートシンク部材３１と、このヒートシンク部材３１を保持するためのフレーム部材３２とを有しており、４つの頭部付の支持ピン３３によってばね部材３４を介してフレーム部材３２の上にヒートシンク部材３１が弾性支持されている。
【００２４】
図示されるように、本発明のカードコネクタ１において、ヒートシンク部材３１は、平らな板状部３６と、この板状部３６の上に平行に間隔を置いて上方に突出するように形成された複数個の冷却フィン３７とを有している。また、ヒートシンク部材３１は、板状部３６から下方に突出するように長方形状の冷却突部３８が設けられており、この冷却突部３８の下面がカードの上面に接触してカードを冷却するように作用するように形成されている。また、ヒートシンク部材３１の板状部３６の四隅付近には切欠き３９（図７）が設けられており、これら切欠き３９に頭部付の支持ピン３３が貫通するように係合されている。さらに、ヒートシンク部材３１の板状部３６の上面には、天板８を取り付けるねじ部材９をねじ着するためのねじ孔４０が設けられている。なお、ヒートシンク部材３１は、アルミニウムのような放熱特性の優れた軽合金材料から作られるのが好適である。勿論、他の放熱特性の優れた適宜な金属材料を使用することができる。
【００２５】
フレーム部材３２は、金属薄板からプレス加工によって作られ、中央に開口部４１が形成されており、両側辺部がほぼ直角に下方に折り曲げられて両側壁部４２が設けられている。さらに、フレーム部材３２の開口部４１の四隅には、支持ピン３３をねじ着して取り付けるためのねじ孔３５が設けられている。また、フレーム部材３２の両側壁部４２の前部および後部には、昇降機構５の可動用シャフトとしての回動軸４４が設けられており、コネクタ本体２の両側壁部１２、１３のカム溝４６に係合されている。
【００２６】
すなわち、昇降機構５は、可動用シャフトとしての回動軸４４と、この回動軸４４が係合するほぼ「く」の字形のカム溝４６とから構成されており、上方に向かって傾斜した傾斜部４７をカム溝４６が有している。従って、この傾斜部４７に沿って回動軸４４が移動することによってヒートシンク部材３１を上下動することができるように形成されている。
【００２７】
イジェクト機構３とヒートシンク機構４とを連動して作動させるために、操作機構６が設けられている。この操作機構６は、コネクタ本体２の一側に沿って滑動可能に設けられたイジェクトレバー５１と、コネクタ本体２の上面部１１の後方部分の下面側に枢支されたカムレバー５２とを有している。イジェクトレバー５１の操作側の一端には、イジェクトレバー５１を押圧操作するためのイジェクトボタン５３が設けられている。また、イジェクトレバー５１の他端には、カムレバー５２の一端と係合されて、カムレバー５２を枢動するための切欠き５４が設けられている。また、イジェクトレバー５１には、前端部と後端部に細長い直線状のガイド溝５５が設けられている。ガイド溝５５は、コネクタ本体２の側壁部１２から横外方向にほぼ水平に延びる頭部付のアーム部５７の先端部分が係合しており、イジェクトレバー５１を前後方向に滑動可能に支持している。
【００２８】
また、イジェクト機構３のカムレバー５２は、イジェクトレバー５１側に上方に突出する円筒状の回動軸部６１が設けられている。回動軸部６１は、コネクタ本体２の後端部２Ｄの中央からイジェクトレバー５１側に形成された孔３０に嵌合されている。従って、カムレバー５２は、孔３０に嵌合する回動軸部６１によってコネクタ本体２の孔３０を中心にして回動可能に支持されている。さらに、カムレバー５２は、コネクタ本体２の側壁部１２から外方に突出する一端部５２ａがほぼ直角に下方に折り曲げられており、イジェクトレバー５１の切欠き５４に係合されている。また、カムレバー５２の他端部５２ｂは、イジェクタ部材２１の主要部２２に設けられた長方形の孔２８に係合されている。従って、カードが挿入されてイジェクタ部材２１が押圧される時に、イジェクタ部材２１の長方形状の孔２６に係合するカムレバー５２の他端部５２ｂが押されてカムレバー５２が円筒状の回動軸部６１を中心にして回動されるように構成されている。さらにまた、カムレバー５２のほぼ中央には円弧状の膨出部５９が設けられており、イジェクタ部材２１の主要部２２の中央の突出部２７に当接するようになっている。従って、カードが挿入されてイジェクタ部材２１が押圧される時に、イジェクタ部材２１の突出部２７がカムレバー５２を押してカムレバー５２を枢動して、イジェクトレバー５１を前方に向かって押し出すようになる。
【００２９】
なお、このようなイジェクトレバー５１は、カード未挿入時に図７に示されるようにイジェクトボタン５３を引っ張ってカムレバー５２を枢動した場合、切欠き５４に隣接する突起部５６に傾斜面５６ａを設けることにより、カムレバー５２がイジェクトレバー５１を乗り越える。このように、イジェクトレバー５１がカムレバー５２から外れて連動が解除されるために、イジェクトボタン５３を引っ張ってしまった場合にも、連動機構がカード未挿入時にカード挿入口７をふさぐことなく、カード挿入不可を防ぐことができる。
【００３０】
ヒートシンク機構４を上下動するための昇降機構５は、ヒートシンク部材３１を支持するフレーム部材３２の両側の折曲された側壁部４２に取付けられた可動用シャフトとしての回動軸４４と、これら回動軸４４が係合されるコネクタ本体２の両側壁部１２、１３のカム溝４６とから構成されている。
【００３１】
カム溝４６は、図示されるように「く」の字形をなしており、傾斜部４７を回動軸４４が移動する時に、ヒートシンク機構４のフレーム部材３２が前後動と共に上下動されるようになり、これによってヒートシンク部材３１の下方に突出する冷却突部３８がコネクタ本体２の開口部１４内に突入されたり、引上げられるように、上下動されるようになる。これによって、挿入されるカードの上面に、ヒートシンク部材３１の冷却突部３８の下面が擦れることなく好適に接触することができるようになる。
【００３２】
図示されるように、本発明の実施例１のカードコネクタ１は、ヒートシンク機構４に天板８がねじ部材９によって取付けられて使用できるし、必要に応じて、この天板８を取外して使用することもできるものである。従って、天板８は、必要に応じて任意に使用することができる。
【００３３】
このように構成された本発明の実施例１におけるカードコネクタ１において、カードを実際に使用する場合に就いて以下に説明する。
【００３４】
図１３乃至図２５は本発明のカードコネクタにカードを挿入する場合を示す図で、図１３は、カードが挿入された全体の最初の状態を示す斜視図、図１４は、平面図で、図１５は、側面図である。
【００３５】
また、図１６乃至図２０は、天板が取外された本発明のカードコネクタに、カードが挿入される場合の上記のような最初の状態を示す図で、図１６は、天板を取外して示す図１３と同様な斜視図であり、図１７は、図１６の天板の取外されたカードコネクタの平面図で、図１８は、イジェクトレバーとカムレバーとの係合を拡大して示す図、図１９は、可動用シャフトとしての回動軸とカム溝の状態を示す拡大部分図で、図２０は、カード挿入口から見た端面図である。さらにまた、図２１乃至図２４は、カード挿入の途中の状態を示す図で、図２１は、平面図、図２２は、側面図で、図２３は、可動用シャフトとしての回動軸とカム溝の状態を示す拡大部分図、図２２は、カード挿入口から見た端面図である。さらに、図２５乃至図２８は、カードの挿入された状態を示す図で、図２５は、平面図、図２６は、側面図で、図２７は、可動用シャフトとしての回動軸とカム溝の状態を示す拡大部分図、図２８は、カード挿入口から見た端面図である。
【００３６】
先ず、図１３乃至図１５において、天板が取付られた本発明のカードコネクタに、カードが挿入される場合の最初の状態が示されており、この状態は、また、カードのイジェクト状態を示すものでもある。すなわち、図示されるように、この状態では、カードＣは、先端部がイジェクタ部材２１に接触した状態で、未だ、イジェクタ部材２１を押圧しておらず、カムレバー５２も作動されていなくて、フリーな状態である。従って、ヒートシンク機構４は、上方に押し上げられた状態にあって、上方の位置にある。
【００３７】
このような図１３乃至図１５に示される状態の本発明のカードコネクタ１において、天板８が取り外された、あるいは省略されたカードコネクタ１にカードＣが挿入される場合の、同様な最初の状態が図１６乃至図２０に示されている。
【００３８】
これら図１６乃至図２０においては、特に図２１と図２２に示されるように、回動軸部とカム溝の関係と、ヒートシンク機構が上方位置に在る状態とが明確に理解される。
【００３９】
特に、図１９に示されるように、このような状態においては、フレーム部材３２の側壁部４２に取り付けられた回動軸４４が、コネクタ本体２のカム溝４６の傾斜部４７の上部と、イジェクタ部材２１の側辺部２４のカギ形のカム溝２５の上部とに位置されている。従って、この状態では、ヒートシンク機構４は上方位置に在って、カード装着部１０内には何等突出していなく、カード挿入口７から挿入されたカードＣには邪魔されるものが無い。
【００４０】
このような状態において、本発明のカードコネクタ１のコネクタ本体２のカード挿入口７に挿入されたカードＣが、さらに、カードコネクタ１内に押し入れられる。すると、カードＣの前端部がコネクタ本体２内のイジェクタ部材２１の２つの突部２４に当って突部２４を介してイジェクタ部材２１を押圧する。これによって、イジェクタ部材２１は後方に押される。イジェクタ部材２１のこの後方への移動に伴って、カムレバー５２が他端部５２ｂを介して回動軸部６１を中心にして枢動されるので、カムレバー５２の一端部５２ａがイジェクトレバー５１を前方に向って押し出すようになる。この状態が図２１乃至図２４に示されている。
【００４１】
特に、図２３に示されるように、この場合には、フレーム部材３２の側壁部４２に取付けられた回動軸４４は、コネクタ本体２のカム溝４６の傾斜部４７に沿って下方へと移動して傾斜部４７の下方部分の途中にある。このため、フレーム部材３２の側壁部４２が下方に移動されるようになり、ヒートシンク機構４が降下されるようになる。さらにカードＣが押されて奥の方にまで押し入れられると、フレーム部材３２の回動軸４４は、カム溝４６の最下位置にまで移動されるので、フレーム部材３２は最下位置に位置されるようになる。従って、ヒートシンク機構４は、冷却突部３８がコネクタ本体２内のカード装着部１０内に突入するようになり、冷却突部３８の下面がカードＣの上面に接触されるようになる。なお、この場合に、カードＣの挿入に伴って、ヒートシンク機構４の冷却突部３８が下方斜め方向に下がるように移動するので、カードＣの上面が、ヒートシンク機構４の冷却突部３８の下面と擦れること無く良好に接触することができる。
【００４２】
上述したように、本発明の実施例１におけるカードコネクタ１においては、天板８を取付けた状態で使用することができると共に、必要に応じて天板８を取り外して使用することもできる。
【００４３】
さらに、本発明のカードコネクタ１は、図１乃至は図７に示されるように、天板８の有る場合と無い場合に、平面状態にそれぞれ設置して使用することができる。これに加えて、図２７に示されるように、天板８を取り付けた状態で、図示の如く垂直面に設置した垂直な状態でも使用することがきる。特に、この場合には、ヒートシンク機構の冷却フィンが垂直方向に並列して配置されるために、冷却フィン間に形成される冷却通路内の空気が加熱されて上昇する空気流れが生じるので、冷却フィン間の冷却通路が煙突効果によって良好に循環されて冷却作用が積極的に強制されるようになり、冷却作用が効果的になって好適である。
【００４４】
また、図３０には、イジェクトレバーのガタツキ防止機構としての引張防止形状の別の例を示す図で、ガタツキ防止用突起部の変形例が示されており、ガタツキ防止用の突起部５６Ａが大きな形状に形成されている。このように、突起部５６Ａを大きく形成することによって、カムレバーのガタツキが好適に防止することができる。さらにまた、このようなガタツキ防止用の突起部５６Ａは他の適宜な形状に形成することができるし、突起を無くして平らにすることもできる。
【００４５】
さらに、本発明のカードコネクタにおいては、可動部分が、イジェクト機構のイジェクトタ部材と昇降機構の回動軸だけなので、少ない部材数で済み、しかもシンプルな構造に形成できて、小型化と偏平化が可能であり、各部材の製作と取換えが容易である等の効果が得られる。
【００４６】
このように構成された本発明のカードコネクタにおいては、カードコネクタを水平な状態でも垂直な状態でも設置可能であり、さらにまた、天板を必要に応じて取り付けたり、あるいは取り外して使用することができる。しかも、このような本発明のカードコネクタにおいては、カードコネクタ自体を、偏平で薄形の形状のコネクタハウジングに、コネクタ本体によって製作することができ、低背化して薄形に製作することが可能であり、カードの発生する熱をヒートシンク機構によって好適に放散して効果的に冷却することができ、携帯電話機やゲーム機、ノートパソコン、携帯型オーディオ、テレビ、ビデオ、デジタルカメラ、カラオケ用マイク等のような情報端末機器や各種の電子機器等に好適に使用することが可能である。
【００４７】
このように、本発明のカードコネクタの実施例１において、挿入されるカードの放熱を行うヒートシンクや、挿入されるカードを所定の位置に保持するロック機構等の機構をカードコネクタに設けたとき、各機構が所定の位置に固定配置されるため、挿入されるカードに力が加わって挿入されたカードに傷が付くことを防止するように好適に利用することができる。
【実施例２】
【００４８】
図３１乃至図３６には、本発明の実施例２におけるカードコネクタ１００が示されており、図３１は、本発明の実施例２におけるカードコネクタを示す斜視図で、図３２は、図３１のカードコネクタの平面図、図３３は、図３１のカードコネクタの側面図で、図３４は、図３１のカードコネクタにカードを挿入した状態での斜視図、図３５は、図３４のカードコネクタの平面図で、図３６は、図３４のカードコネクタの側面図である。また、図３７は、図３１の本発明の実施例２でのカードコネクタを実際に取付けた場合の別の例を示す斜視図である。
【００４９】
図示されるように、この実施例２においては、本発明のカードコネクタ１００は、天板１０８にほぼ四角形の通気用の孔１４９が設けられており、この孔１４９を形成するための切込みを内側にほぼ直角に折り曲げて折曲片１５０を形成して、隣接する孔１４９の対応する折曲片１５０と協同して片持ばね状のフラップ片として利用することで、折曲片１５０の弾性力によって２つの折曲片１５０の間に、ヒートシンク機構１０４のヒートシンク部材１３１の冷却フィン１３７を挟み込むことによって固持させるようにしていることが、先の実施例１のものと異なっており、他の構成要素は実質的に同じであるので、その詳細については省略するものとする。なお、この実施例２においては、実施例１の構成要素に対応する実施例２における構成要素に対して、実施例１における構成要素を示す参照番号に１００を付加して示すものとする。
【００５０】
このように、本発明の実施例２のカードコネクタ１００おいては、天板１０８に通気用の複数個の孔１４９を整列して、あるいは不規則に任意に配置し、天板１０８を折曲片１５０によってヒートシンク機構１０４のヒートシンク部材１３１の冷却フィン１３７の挟持するようにして装着することによって、天板１０８を着脱自在に簡単に取り付けることができ、ねじ部材のような固着部材を省略することができるし、天板１０８を使用しない場合には、容易に天板１０８を取り外すことができ、好適である。また、このような天板１０８に孔１４９が形成された本発明のカードコネクタ１００においても、平面状態に設置して使用することができるし、あるいはまた、図３７に示されるように、垂直面に垂直な状態に設置して利用することもできる。
【００５１】
なお、本実施例２においても、イジェクトレバー１５１は、カード未挿入時に図示されるようにイジェクトボタン１５３を引っ張ってカムレバー１５２を枢動した場合、切欠き１５４に隣接する突起部１５６に傾斜面１５６ａを設けることにより、カムレバー１５２がイジェクトレバー１５１を乗り越える。このように、イジェクトレバー１５１がカムレバー１５２から外れて連動が解除されるために、イジェクトボタン１５３を引っ張ってしまった場合にも、連動機構がカード未挿入時にカード挿入口１０７をふさぐことなく、カード挿入不可を防ぐことができる。
【００５２】
このように、本発明のカードコネクタの実施例２において、挿入されるカードの放熱を行うヒートシンクや、挿入されるカードを所定の位置に保持するロック機構等の機構をカードコネクタに設けたとき、各機構が所定の位置に固定配置されるため、挿入されるカードに力が加わって挿入されたカードに傷が付くことを防止するように好適に利用することができる。
【実施例３】
【００５３】
図３８乃至図４３には、本発明の実施例３におけるカードコネクタが示されている。これらの図において、図３８は、本発明の実施例３におけるカードコネクタを、カードを省略してカードイジェクト状態で示す平面図で、図３９は、図３８のカードイジェクト状態でのカード挿入口側から見た端面図、図４０は、本発明の実施例３におけるカードコネクタを、カードを省略してカードロック状態で示す平面図で、図４１は、図４０のカードロック状態でのカード挿入口側から見た端面図である。さらにまた、図４２は、本発明の実施例３のカードコネクタにおける図３８のカードイジェクト状態での斜視図で、図４３は、本発明の実施例３のカードコネクタにおける図４０のカードロック状態での斜視図である。
【００５４】
図示されるように、本発明のカードコネクタの実施例３において、カードコネクタ２００は、コネクタ本体２０２と、イジェクト機構２０３と、ロック機構２０４と、ロック機構２０４が設けられる上下動可能なフレーム部材２３２を上下動する昇降機構２０５とから主に構成されている。この本発明の実施例３におけるカードコネクタ２００は、コネクタ本体２０２、イジェクト機構２０３および昇降機構２０５が、先の実施例１および実施例２におけるものと実質的に同じであり、ロック機構２０４が設けられていることだけが異なっている。従って、本実施例においては、ロック機構２０４以外の他の機構に就いては、その詳細な説明を省略するものとする。なお、この実施例３においては、実施例１の構成要素に対応する実施例３における構成要素に対して、実施例１における構成要素を示す参照番号に２００を付加して示すものとする。
【００５５】
このように、本発明の実施例３のカードコネクタ２００においては、昇降機構２０５のフレーム部材２３２に、ロック機構２０４が設けられている。このロック機構２０４は、カードＣの切欠きＮに係合してカードＣをロックするカードロック部２７２が設けられたロック部材２７０を有している。
【００５６】
すなわち、図３８および図３９に示されるように、金属薄板材料を、例えばプレス加工して形成されるフレーム部材２３２に、カードロック部２７２を有するロック部材２７０が設けられることによって構成されている。フレーム部材２３２は、プレス加工して作られ、上面に開口部２４１が形成されており、両側辺部がほぼ直角に下方に折り曲げられて両側壁部２４２が設けられている。この側壁部２４２の一方の側辺の後方部分に開口部２４１内に向かって延出するように条片状のロック機構２０４のロック部材２７０が設けられている。さらに、ロック部材２７０は、下方に向かって突出するようにほぼＵ字形またはＪ字形に屈曲されていて、カードロック部２７２が形成されている。このカードロック部２７２は、カード挿入の際に、上下動するフレーム部材２３２が下に向かって降下する時に、ロック機構２０４のロック部材２７０がカードＣの切欠きＮ（図４３）に係合してカードＣをロックするように作用するものである。
【００５７】
また、フレーム部材２３２の両側壁部２４２の前部および後部には、先の実施例１、２におけると同様な昇降機構２０５の可動用シャフトとしての回動軸２４４が設けられており、コネクタ本体２０２の両側壁部のカム溝（図示しない）と、イジェクタ部材２２１のカム溝（図示しない）とにそれぞれ係合されている。
【００５８】
従って、カードＣがカード挿入口２０７から挿入されてカードＣの先端部がイジェクタ部材２２１の突部２２６に当接してイジェクタ部材２２１を押圧する時に、フレーム部材２３２は後方に向かって移動されると共に、コネクタ本体２０２とイジェクタ部材２２１の両カム溝とによって下方に向かって降下され、フレーム部材２３２のロック部材２７０のカードロック部２７２がカードＣの切欠きＮ内に突入されるようになる。これによって、カードＣがコネクタ本体２０２内に十分に挿入された時に、カードＣがロック機構２０４によってしっかりとロックされて装着されるようになる。
【００５９】
なお、イジェクト機構２０３が、連動機構としての操作機構２０６のイジェクトボタン２５３付のイジェクトレバー２５１を有し、カムレバー２５２の折曲された先端部２５２ａが切欠き２５４に係合され、イジェクトレバー２５１がガイド溝２５５に係合するアーム部２５７によって前後方向に移動可能に支持され、コネクタ本体２０２の上面に開口部２１４が設けられると共に、四隅に取付け用の耳部２１７が設けられること等は、実施例１、２と同様である。
【００６０】
なお、このようなイジェクトレバー２５１は、カード未挿入時に、イジェクトボタン２５３を引っ張ってカムレバー２５２を枢動した場合、切欠き２５４に隣接する突起部２５６に傾斜面２５６ａを設けることにより、カムレバー２５２がイジェクトレバー２５１を乗り越える。このように、イジェクトレバー２５１がカムレバー２５２から外れて連動が解除されるために、イジェクトボタン２５３を引っ張ってしまった場合にも、連動機構がカード未挿入時にカード挿入口２０７をふさぐことなく、カード挿入不可を防ぐことができる。
【００６１】
従って、このように構成された本発明の実施例３のカードコネクタ２００において、カードＣが挿入される場合の、カードイジェクト状態が図４２に示され、カードロック状態が図４３に示されている。
【００６２】
先ず、図４２に示されるように、この状態では、カードＣは、先端部がイジェクタ部材２２１に接触した状態で、まだ、イジェクタ部材１２１を押圧しておらず、ロック機構２０４のカードロック部２７２がカードＣの切欠きＮに係合して無く、カードイジェクト状態である。従って、フレーム部材２３２は、コネクタ本体２０２の片持ちばね状のばね部材２１１Ａ、２１１Ｂによって上方の位置に押し上げられて弾性支持された状態である。
【００６３】
このような、図４２に示されるカードイジェクト状態において、カードＣをさらに押圧すれば、カードＣの先端部がイジェクタ部材２２１を押圧するので、昇降機構２０５のカム溝によって、フレーム部材２３２は、後方に動かされると同時に下方に向かって降下されるように作動されるので、フレーム部材２３２のロック機構２０４のロック部材２７０がカードＣの切欠きＮ内に突入するようになる。カードＣが十分に挿入されて完全にロックされたカードロック状態が図４３に示されている。
【００６４】
この図４３のカードロック状態では、イジェクタ部材２２１の突出部２２７によって、カムレバー２５２が回動軸部２６１周りに枢動されて、カムレバー２５２の先端部２５２ａによってイジェクトレバー２５１が前方に押し出される。従って、この時に、イジェクトレバー２５１は、ガイド溝２５５とアーム部２５７とによって良好にガイドされて図示のように前方に向かって押し出されるようになる。
【００６５】
このような図４３のカードロック状態において、カードＣをカードロック状態から解除するには、イジェクトレバー２５１のイジェクトボタン２５３を後方に向かって押せば、カムレバー２５２が枢動されて、イジェクタ部材２２１の突出部２２７がカムレバー２５２の膨出部２５９によって前方に押されてイジェクタ部材２２１が同様に前方に押し出される。このため、昇降機構２０５の回動軸２４４がコネクタ本体２０２とイジェクタ部材２２１のカム溝によって斜め上方に移動されるようになり、ロック機構２０４のロック部材２７０がカードＣの切欠きＮから上方に外れるようになるので、カードロック状態が解除されてカードＣが前方に押し出されるようになると共に、フレーム部材２３２が上方に位置されるようになる。
【００６６】
このように、本発明のカードコネクタの実施例３においても、イジェクト機構と、ロック機構とが連動して動作するため、カード挿入時に余計な力が加わることを防止できるため、カードに傷が付くことを防ぐことができる。
【００６７】
このように、本発明によれば、カードコネクタ自体を偏平で薄形のハウジング形状のケースとして製作することができ、水平な状態や垂直な状態に取り付けて設置することができ、携帯電話機やゲーム機、ノートパソコン、携帯型オーディオ、テレビ、ビデオ、デジタルカメラ、カラオケ用マイク等のような情報端末機器や各種の電子機器に好適に使用することが可能であり、カードの発生する熱を良好に発散して冷却を好適に図ることができ、必要に応じて天板を取り付けたり取り外したりすることができ、冷却効果を一層向上することができる。
【００６８】
また、本発明のカードコネクタによれば、挿入されたカードを、ロック機構のカードロック部材との係合によって確実にロックすることができ、カードの不慮の抜き出しや落下を防止することができる。
【００６９】
さらに、本発明のカードコネクタにおいては、可動部分が、イジェクト機構のイジェクトタ部材とカムレバーと、昇降機構の回動軸だけなので、少ない部材数で済み、しかもシンプルな構造に形成できて、小型化と偏平化が可能であり、各部材の製作と取換えが容易である等の効果が得られる。
【産業上の利用可能性】
【００７０】
本発明のイジェクト機構との連動機構およびそれを用いるカードコネクタは、携帯電話機、電話機、ＰＤＡ（personal  digital  assistance）、ゲーム機、ノートパソコン、携帯型オーディオ、テレビ、ビデオ、デジタルカメラ等や情報端末機器等の電子機器に利用することが出来る。
【図面の簡単な説明】
【００７１】
【図１】本発明の実施例１におけるカードコネクタをカード挿入口側から見た全体の斜視図である。
【図２】図１の本発明のカードコネクタの平面図である。
【図３】図１の本発明のカードコネクタの側面図である。
【図４】図１の本発明のカードコネクタをカード挿入口側から見た端面図である。
【図５】図１の本発明のカードコネクタをカード挿入口と反対側から見た端面図である。
【図６】図１の本発明のカードコネクタの底面図である。
【図７】図１の本発明のカードコネクタを、カバー部材を取外して示す斜視図で、引張防止形状部分を拡大して示す図である。
【図８】図１の本発明のカードコネクタを、天板を取外して示す平面図である。
【図９】図８のカードコネクタの側面図である。
【図１０】図７の本発明のカードコネクタを、ヒートシンク機構を取外して示す斜視図である。
【図１１】イジェクタ機構のイジェクタ部材を上方から見た斜視図である。
【図１２】図１１のイジェクタ部材の下方からの斜視図である。
【図１３】図１の本発明のカードコネクタにカードを挿入した状態を示す斜視図である。
【図１４】図１３のカードコネクタの平面図である。
【図１５】図１３のカードコネクタの側面図である。
【図１６】図１３のカードコネクタを、天板を取外して示す斜視図である。
【図１７】図１６のカードコネクタの平面図である。
【図１８】図１６のカードコネクタの側面図で、引張防止形状部分を拡大して示す図である。
【図１９】図１の本発明のカードコネクタのヒートシンク機構の可動機構の可動軸部を、カードイジェクト状態において示す図１７のＡ−Ａ線に沿った断面部分図である。
【図２０】図１９のカードイジェクト状態でのカード挿入口側から見た端面図で、一部を拡大して示す図である。
【図２１】図１の本発明のカードコネクタにカードを挿入する途中の状態での、天板を取外して示す平面図である。
【図２２】図２１のカードコネクタの側面図である。
【図２３】図２１のカードを挿入する途中の状態における可動軸部を示す図２１のＢ−Ｂ線に沿った同様な断面部分図である。
【図２４】図２１のカードを挿入する途中の状態でのカード挿入口側から見た端面図で、一部を拡大して示す図である。
【図２５】図１３の本発明のカードコネクタにおいてカードを挿入した状態での、天板を取外して示す平面図である。
【図２６】図２５のカードコネクタの側面図である。
【図２７】図２５のカードを挿入した状態での可動軸部を示す図２５のＣ−Ｃ線に沿った断面部分図である。
【図２８】図２５のカードを挿入した状態でのカード挿入口側から見た端面図で、一部を拡大して示す図である。
【図２９】図１の本発明の実施例１におけるカードコネクタを実際に取付けた場合の一例を示す斜視図である。
【図３０】本発明のカードコネクタのイジェクト機構のイジェクトレバーの引張防止形状部分の別の例を示す拡大部分図である。
【図３１】本発明の実施例２におけるカードコネクタを示す斜視図である。
【図３２】図３１のカードコネクタの平面図である。
【図３３】図３１のカードコネクタの側面図である。
【図３４】図３１のカードコネクタにカードを挿入した状態での斜視図である。
【図３５】図３４のカードコネクタの平面図である。
【図３６】図３４のカードコネクタの側面図である。
【図３７】図３１の本発明の実施例２でのカードコネクタを実際に取付けた場合の別の例を示す斜視図である。
【図３８】本発明の実施例３におけるカードコネクタを、カードを省略してカードイジェクト状態で示す平面図である。
【図３９】図３８のカードイジェクト状態でのカード挿入口側から見た端面図である。
【図４０】本発明の実施例３におけるカードコネクタを、カードを省略してカードロック状態で示す平面図である。
【図４１】図４０のカードロック状態でのカード挿入口側から見た端面図である。
【図４２】本発明の実施例３のカードコネクタにおける図３８のカードイジェクト状態での斜視図である。
【図４３】本発明の実施例３のカードコネクタにおける図４０のカードロック状態での斜視図である。
【符号の説明】
【００７２】
１、１００、２００    カードコネクタ
２、１０２、２０２    コネクタ本体
３、１０３、２０３    イジェクト機構
４、１０４    ヒートシンク機構
５、１０５、２０５    昇降機構
６、１０６、２０６    操作機構
７、１０７、２０７    カード挿入口
８、１０８    天板
９            ねじ部材
１０、２１０          カード装着部
１１、１１１、２１１  上面部
１２、１３、１１２、１１３  側壁部
１４、１１４、２１４  開口部
１５、１６、１１５、１１６、２１５、２１６  溝形部材
１７、１１７、２１７  耳部
１８、１９、１１８、１１９、２１８、２１９  溝部
２１、１２１、２２１  イジェクタ部材
２２、１２２  主要部
２３、１２３  脚部
２４、１２４  側辺部
２５、１２５  カム溝
２６、１２６  突部
２７、１２７，２２７  突出部
２８、３０、１２８、１３０、２３０  孔
２９、１２９、２２９  孔部
３１、１３１  ヒートシンク部材
３２、１３２、２３２  フレーム部材
３３、１３３  支持ピン
３４、１３４  ばね部材
３６、１３６  板状部
３７、１３７  冷却フィン
３８、１３８  冷却突部
３９、１３９  切欠き
４１、１４１、２４１  開口部
４２、１４２、２４２  側壁部
４４、１４４、２４４  回動軸
４６、１４６  カム溝
４７、１４７  傾斜部
５１、１５１、２５１  イジェクトレバー
５２、１５２、２５２  カムレバー
５３、１５３、２５３  イジェクトボタン
５４、１５４、２５４  切欠き
５５、１５５、２５５  ガイド溝
５６、１５６、２５６  突起部
５７、１５７、２５７  アーム部
５９、１５９、２５９  膨出部
６１、１６１、２６１  回動軸部
１４９      孔
１５０      押圧片
【図１】
2005322498.tif 000003
【図２】
2005322498.tif 000004
【図３】
2005322498.tif 000005
【図４】
2005322498.tif 000006
【図５】
2005322498.tif 000007
【図６】
2005322498.tif 000008
【図７】
2005322498.tif 000009
【図８】
2005322498.tif 000010
【図９】
2005322498.tif 000011
【図１０】
2005322498.tif 000012
【図１１】
2005322498.tif 000013
【図１２】
2005322498.tif 000014
【図１３】
2005322498.tif 000015
【図１４】
2005322498.tif 000016
【図１５】
2005322498.tif 000017
【図１６】
2005322498.tif 000018
【図１７】
2005322498.tif 000019
【図１８】
2005322498.tif 000020
【図１９】
2005322498.tif 000021
【図２０】
2005322498.tif 000022
【図２１】
2005322498.tif 000023
【図２２】
2005322498.tif 000024
【図２３】
2005322498.tif 000025
【図２４】
2005322498.tif 000026
【図２５】
2005322498.tif 000027
【図２６】
2005322498.tif 000028
【図２７】
2005322498.tif 000029
【図２８】
2005322498.tif 000030
【図２９】
2005322498.tif 000031
【図３０】
2005322498.tif 000032
【図３１】
2005322498.tif 000033
【図３２】
2005322498.tif 000034
【図３３】
2005322498.tif 000035
【図３４】
2005322498.tif 000036
【図３５】
2005322498.tif 000037
【図３６】
2005322498.tif 000038
【図３７】
2005322498.tif 000039
【図３８】
2005322498.tif 000040
【図３９】
2005322498.tif 000041
【図４０】
2005322498.tif 000042
【図４１】
2005322498.tif 000043
【図４２】
2005322498.tif 000044
【図４３】
2005322498.tif 000045